(57)【要約】【課題】植生ポットを利用した棚田状の盛土構造において、強度に富む盛土構造を提供する。【解決手段】盛土１０の前面に筒状のネット枠２１を連結し、さらに隣接するネット枠２１同士を連結した後、ネット枠２１の中に土壌を充填して植生ポット２０を形成する。【選択図】図２
2014109159.tif 000002
【特許請求の範囲】
【請求項１】
前面が傾斜した盛土の前記前面に当接して、柱体状の植生ポットが、水平方向及び垂直方向にそれぞれ複数配置されてなる盛土構造であって、
前記植生ポットが、筒状のネット枠の中に土壌が充填されてなり、
前記ネット枠が水平方向において互いに離れた少なくとも二箇所において前記盛土の前面に連結されており、
水平方向に隣接する植生ポットのネット枠同士が互いに連結されており、
水平方向に隣接する植生ポット同士、及び、植生ポットと前記盛土との間に隙間がないことを特徴とする盛土構造。
【請求項２】
前記盛土の前面が補強ネットで覆われており、前記植生ポットのネット枠が前記補強ネットに連結されている請求項１に記載の盛土構造。
【請求項３】
前記盛土が発泡プラスチックブロックの盛土材からなる請求項１または２に記載の盛土構造。
【請求項４】
前面が傾斜した盛土の前記前面に当接して、柱体状の植生ポットが、水平方向及び垂直方向にそれぞれ複数配置されてなる盛土構造であって、
前記盛土の前面が補強ネットで覆われており、
前記植生ポットが、前記補強ネットの一部と、前記補強ネットに連結されたネット枠とで構成された筒状体の中に土壌が充填されてなり、
水平方向に連続して配置した複数の植生ポットのネット枠が１本の帯状のネットからなり、
水平方向に隣接する植生ポットのネット枠同士が互いに連結されており、
水平方向に隣接する植生ポット同士の間に隙間がないことを特徴とする盛土構造。
【請求項５】
前記盛土が発泡プラスチックブロックの盛土材からなる請求項４に記載の盛土構造。
【発明の詳細な説明】
【技術分野】
【０００１】
本発明は前面が傾斜した盛土の該前面を緑化する盛土構造に関する。
【背景技術】
【０００２】
宅地や道路の造成に伴って構築した盛土の傾斜面を緑化する方法としては、例えば特許文献１に、傾斜壁面にメッシュ構造のＬ型前面枠を取り付けた補強盛土構造において、該Ｌ型前面枠の前面部の裏側に植生シートを張っておく方法が開示されている。
【０００３】
しかしながら、特許文献１に開示された方法の場合、植生シートから生育した植物が結実しても、落下した種子が傾斜面をころがって盛土表面に定着せず、翌年に植物が生育しにくいという問題があった。
【０００４】
そこで、落下した種子がその場で定着するように、前面に水平面を有する棚田状の盛土構造を構築する方法が開発されている。図１２，図１３を用いて説明する。図１３は係る構造を模式的に示す斜視図であり、図１２（ａ）はその平面図、（ｂ）は正面図である。
【０００５】
図１２、図１３中、１０は盛土であり、発泡プラスチックブロックからなる盛土材を土壌（不図示）の前面に配置してなる。この盛土１０の前面１１に当接して、円柱状の植生ポット６０が水平方向、垂直方向にそれぞれ複数配置されている。植生ポット６０は、円筒状のネット枠６１の中に土壌６２を充填してなり、植生ポット６０と盛土１０の前面１１との間には隙間ができるため、係る隙間にも土壌６２’が充填される。
【０００６】
図１３（ａ）、（ｂ）に示すように、植生ポット６０は盛土１０の傾斜面に沿って下方から上方に向かって順次後方にずれて配置されると同時に、水平方向においても上下層で互いにずれて配置されるため、植生ポット６０の上面が露出する。植生ポット６０に充填する土壌６２に植物の種子を混在させておくか、植生ポット６０の上面に植物を植えれば、係る上面で植物が生育し、結実しても落下した種子はそのまま該上面で発芽するため、継続的に植物を生育させることができる。また、土壌６２として盛土１０の造成で出た土壌を用いれば、盛土周辺と同じ植物を生育させることができる。
【先行技術文献】
【特許文献】
【０００７】
【特許文献１】特開２００２−３３９３６２号公報
【発明の概要】
【発明が解決しようとする課題】
【０００８】
しかしながら、図１２，図１３に示した植生ポットを用いた盛土構造では、各植生ポット６０が盛土１０に固定されておらず、また、盛土１０と植生ポット６０との隙間を土壌６２’が埋めているため、降雨や地震などによって土壌６２’が植生ポット６０を押し出し、盛土構造が崩れてしまう場合があった。
【０００９】
また、図１２，図１３に示した植生ポット６０は、予め形成したネット枠６１に土壌を充填するため、植生ポット６０の大きさや形状が一定で、盛土１０の前面が水平方向において直線でない、例えば曲面を有するような場合には、該前面との間に大きな隙間ができるなど、うまく対応が図れない場合があった。
【００１０】
本発明の課題は、植生ポットを利用した棚田状の盛土構造において、強度に富む盛土構造を提供することにある。また、本発明のさらなる課題は、盛土の前面の形状にも対応して隙間無く植生ポットを配置できる盛土構造を提供することにある。
【課題を解決するための手段】
【００１１】
本発明の第一は、前面が傾斜した盛土の前記前面に当接して、柱体状の植生ポットが、水平方向及び垂直方向にそれぞれ複数配置されてなる盛土構造であって、
前記植生ポットが、筒状のネット枠の中に土壌が充填されてなり、
前記ネット枠が水平方向において互いに離れた少なくとも二箇所において前記盛土の前面に連結されており、
水平方向に隣接する植生ポットのネット枠同士が互いに連結されており、
水平方向に隣接する植生ポット同士、及び、植生ポットと前記盛土との間に隙間がないことを特徴とする。
【００１２】
本発明の第二は、前面が傾斜した盛土の前記前面に当接して、柱体状の植生ポットが、水平方向及び垂直方向にそれぞれ複数配置されてなる盛土構造であって、
前記盛土の前面が補強ネットで覆われており、
前記植生ポットが、前記補強ネットの一部と、前記補強ネットに連結されたネット枠とで構成された筒状体の中に土壌が充填されてなり、
水平方向に連続して配置した複数の植生ポットのネット枠が１本の帯状のネットからなり、
水平方向に隣接する植生ポットのネット枠同士が互いに連結されており、
水平方向に隣接する植生ポット同士の間に隙間がないことを特徴とする。
【発明の効果】
【００１３】
本発明は、植生ポットを用いているため、継続的に植物の育成を行うことができる。また、盛土の造成で出た土壌を利用できるため、外部から植物を持ち込む恐れがなく、環境上、好ましい。さらに、本発明の盛土構造は盛土と植生ポットが隙間無く当接して一体化しており、強度に富むため、降雨や地震などによっても崩れる恐れがない。また、盛土前面を補強ネットで覆った場合には、盛土と植生ポットとの連結作業がより容易になる。さらに、植生ポットのネット枠として帯状ネットを用いることで、盛土の前面の形状変化にも容易に対応することができ、強度に富み、構築作業が容易な盛土構造を提供することができる。
【図面の簡単な説明】
【００１４】
【図１】本発明の盛土構造の一実施形態を模式的に示す斜視図である。
【図２】本発明の盛土構造の他の実施形態を模式的に示す斜視図である。
【図３】図２の盛土構造の平面図及び正面図である。
【図４】図２の盛土構造の構築工程を示す平面図である。
【図５】図２の盛土構造の構築工程を示す平面図である。
【図６】本発明に係る、ネット枠同士の連結方法を示す図である。
【図７】本発明の盛土構造の他の実施形態を模式的に示す斜視図である。
【図８】図７の盛土構造の構築工程を示す平面図である。
【図９】図７の盛土構造の構築工程を示す平面図である。
【図１０】本発明の盛土構造の応用例を示す斜視図である。
【図１１】本発明の盛土構造の他の応用例を示す斜視図である。
【図１２】従来の植生ポットを用いた盛土構造を模式的に示す斜視図である。
【図１３】図１２の盛土構造の平面図及び正面図である。
【発明を実施するための形態】
【００１５】
本発明は、前面が傾斜した盛土の該前面に当接して、植生ポットを水平方向及び垂直方向にそれぞれ複数配置してなる盛土構造である。
【００１６】
本発明において、「盛土」とは土壌或いは盛土材であり、盛土材としては発泡プラスチックブロックが好ましく用いられる。また、「前面が傾斜した盛土」とは、盛土の前面が後方に傾斜した傾斜面である形態と、前面が上方に向かうに連れて順次後方に後退し、盛土の断面が階段状に形成された形態を含む。
【００１７】
図１は、盛土の前面が傾斜面である構造を模式的に示す斜視図であり、図２は、盛土の前面が階段状である構造を模式的に示す斜視図である。図中、１０が盛土、１１が盛土１０の前面である。
【００１８】
本発明に係る植生ポットは、基本的に筒状のネット枠中に土壌を充填してなるが、後述するように、予め筒状に形成したネット枠を用いて構成する第１の形態と、帯状のネットと補強ネットで筒状体を形成し、該筒状体に土壌を充填してなる第２の形態とが挙げられる。
【００１９】
以下、実施形態を挙げて本発明を具体的に説明する。
【００２０】
本発明の第１の形態は、図１，図２に示すように、植生ポット２０が、盛土１０の前面１１に当接して配置されている。以下、図２の実施形態を例に本発明の第１の形態について説明する。
【００２１】
図３（ａ）は図２の実施形態の平面図であり、図３（ｂ）は正面図である。図中、３１は植生ポット２０と盛土１０との連結部であり、３２は水平方向において隣接する植生ポット２０同士の連結部である。
【００２２】
本例の盛土構造の構築方法を図４，図５を用いて説明する。
【００２３】
図４（ａ）に示すように、予め筒状に形成したネット枠２１を用意し、水平方向において互いに離れた二箇所を盛土１０の前面１１の最下層に連結し、図４（ｂ）に示すように、連結部３１，３１間においてネット枠２１と盛土１０の前面１１とを重ねる。尚、連結部は図４（ｂ）に示す３１，３１以外に、３１と３１との間に設けても構わない。同様にして、水平方向に複数のネット枠２１を隙間無く取り付け、図５（ａ）に示すように、隣接するネット枠２１同士を連結部３２において連結する。
【００２４】
次に、図５（ｂ）に示すように、盛土１０の前面１１に連結された各ネット枠２１内に土壌２２を充填して植生ポット２０を形成すると、植生ポット２０と盛土１０の前面１１及び隣接する植生ポット２０同士が隙間無く当接し、複数の植生ポット２０と盛土１０とが一体化する。尚、植生ポット２０の前面部となる部分が、連結部３１，３１間の距離よりも長くなるように連結部３１と３２との距離を調整することで、植生ポット２０の前面部が上方から見て中央が突出したかまぼこ状となり、強度がより増すことになり、好ましい。この図４（ａ）〜図５（ｂ）の工程を、順次、下層から上層に向かって繰り返すことにより、本発明の盛土構造が構築される。
【００２５】
本発明においては、上記したように、盛土１０と植生ポット２０との間、及び、隣接する植生ポット２０同士の間に隙間がない。よって、係る隙間を土壌で埋める必要がなく、盛土１０と複数の植生ポット２０とが強固に連結されていることから、強度に富み、降雨や地震等により崩れる恐れがなくなる。特に、植生ポット２０の前面が上方から見てかまぼこ状に形成されている場合には、より強度に優れた構造が得られる。
【００２６】
尚、垂直方向において、植生ポット２０は直線状に配置しても良いが、本例に示すように、垂直方向において、植生ポット２０の位置を水平方向にずらせることにより、植生ポット２０の上面の露出する領域が増えることと、強度が高まるため、好ましい。
【００２７】
本例において、ネット枠２１と盛土１０の前面１１との連結は、例えば、アンカー筋やバンドを用いた方法がとられる。また、ネット枠２１同士の連結には、図６に示すように、隣接するネット枠２１，２１を互いに絡め合って、重なって形成された間隙に連結ピン４１を差し込むことで容易に連結することができる。
【００２８】
本例では、盛土１０に植生ポット２０を直接、連結させる構成を示したが、植生ポット２０のネット枠２１を盛土１０に連結する作業をより容易にする形態として、盛土１０の前面１１を補強ネットで覆っておく形態が挙げられる。係る形態では、補強ネットを予め盛土１０にアンカー筋やバンド等で固定しておけば、図６に例示した方法で補強ネットにネット枠２１を連結することができる。
【００２９】
次に、本発明の第２の形態について説明する。本発明の第２の形態は、図７に示したように、盛土１０の前面１１を補強ネット５１で覆い、該補強ネット５１と後述する帯状ネットの一部であるネット枠２３とで筒状体を形成し、該筒状体の中に土壌２２を充填して植生ポット２０を形成する。
【００３０】
本例の構築工程を図８，図９を用いて説明する。
【００３１】
図８（ａ）に示すように、帯状ネット２４を蛇腹状に折り畳み、図８（ｂ）に示すように、所定の間隔を介して、盛土１０の前面を覆う補強ネット５１に連結する。連結する際には、図６に例示した方法を用いることができる。これにより、１本の帯状ネット２４で複数の植生ポットのネット枠２３が形成され、該ネット枠２３と補強ネット５１とで筒状体が形成される。そして、図９（ａ）に示すように、隣接するネット枠２３同士を、補強ネット５１とネット枠２３との連結部よりも離れた位置（連結部３２）で連結する。
【００３２】
この後、図９（ｂ）で示すように、補強ネット５１とネット枠２３とで形成された筒状体の中に土壌を充填することで、水平方向に複数の植生ポット２０が盛土１０と隙間無く一体化した構造が得られる。尚、植生ポット２０の前面部となる部分が、連結部３１，３１間の距離よりも長くなるように連結部３１と３２との距離を調整することで、植生ポット２０の前面部が上方から見て中央が突出したかまぼこ状となり、強度がより増すことになり、好ましい。この図８（ａ）〜図９（ｂ）の工程を、順次、下層から上層に向かって繰り返すことにより、本発明の盛土構造が構築される。帯状ネット２４と補強ネット５１との連結、及び、ネット枠２３同士の連結には図６に例示した方法が好ましく採用される。
【００３３】
本例では、帯状ネット２４で複数のネット枠２３を順次形成するため、盛土１０の前面１１の形状に合わせてネット枠２３の大きさや、連結部３１，３１間の間隔を調整することができる。その結果、盛土構造全体で脆弱な部位が発生するのを防止することができる。また、本例では、第１の形態の如く、予め筒状のネット枠を形成する必要が無く、作業全体が簡素化される。
【００３４】
また、本発明の第１の形態、第２の形態において、図１０に示すように、植生ポット２０の前面にさらに、補助ポット２６を設けることも好ましく適用される。係る補助ポット２６は、高さが植生ポット２０よりも低い長方形或いは正方形の補助ネット２５の水平方向両端部を植生ポット２０のネット枠２１，２３に取り付け、該ネット枠２１，２３と補助ネット２５との間に土壌２２を充填することで形成することができる。このように、補助ポット２６を設けることで、植生ポット２０の垂直面に植物が育成しにくい場合に、これを補うことができる。
【００３５】
さらに、本発明の第１の形態、第２の形態において、図１１に示すように、植生ポット２０を配置する前に、その底面となる位置に底面ネット５２を敷設しておくことにより、植生ポット２０内の土壌２２を該底面ネット５２で支持して植生ポット２０の崩壊を防止することができ、好ましい。特に、盛土１０の高さが２ｍ以上の場合に有効である。
【００３６】
本発明において、第１の形態のネット枠２１、補強ネット、第２の形態の補強ネット５１、帯状ネット２４、さらには図１０に示した補助ネット２５、図１１に示した底面ネット５２としては、特に限定されず、土壌を充填して本発明の盛土構造を構築することができる網状部材であれば用いることができる。好ましくは、高密度ポリエチレン（ＨＤＰＥ）からなるシートに複数の孔を穿ち、その後、シートを引き延ばして網状に形成したものが挙げられる。網状部材の間隙が大きすぎると土壌が流出しやすく、また、小さすぎると水はけが悪くなるため、例えば正方形の場合で一辺が２．５ｃｍ〜６．０ｃｍ程度となるように構成することが好ましい。
【００３７】
上記、第１の形態、第２の形態について、盛土材を用いて盛土１０として前面１１が階段状である形態について説明したが、図１に示したような、前面１１が傾斜面である形態、及び、盛土１０が土壌である形態についても、同様の構成をとることができる。しかしながら、盛土１０の前面１１が階段状である形態の方が、植生ポット２０の自重で座屈する恐れや、地震の際の摩擦力不足、不同沈下などに対する抵抗が生じるため、また、構築作業が容易であるため、前面１１が傾斜面である場合よりも好ましい。
【００３８】
本発明の盛土構造が適用される盛土１０の前面１１の傾斜の程度としては、前面１１が傾斜面である形態では水平面と傾斜面とがなす角度が、前面１１が階段状である形態では階段の傾斜角が４５°〜７４°であることが好ましい。また、植生ポットの高さは盛土の前面の傾斜の程度にもよるが、２０ｃｍ〜３５ｃｍが好ましい。また、盛土１０の前面１１が階段状である形態では、植生ポット１０の高さと段差とが等しくなるように調整する。
【符号の説明】
【００３９】
１０，１２：盛土、１１：盛土の前面、２０：植生ポット、２１，２３：ネット枠、２２：土壌、２４：帯状ネット、２６：補助ポット、２５：補助ネット、３１，３２：連結部、４１：連結ピン、５１：補強ネット、５２：底面ネット、６０：植生ポット、６１：ネット枠、６２，６２’：土壌
【図１】
2014109159.tif 000003
【図２】
2014109159.tif 000004
【図３】
2014109159.tif 000005
【図４】
2014109159.tif 000006
【図５】
2014109159.tif 000007
【図６】
2014109159.tif 000008
【図７】
2014109159.tif 000009
【図８】
2014109159.tif 000010
【図９】
2014109159.tif 000011
【図１０】
2014109159.tif 000012
【図１１】
2014109159.tif 000013
【図１２】
2014109159.tif 000014
【図１３】
2014109159.tif 000015